【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
物品(44)を収容する区画(14,135)を有し、搬入位置(I)で区画内に受け入れた物品(44)を、区画外へ物品(44)を搬出する搬出位置(O)へ搬送する物品搬送装置であって、
前記区画(14,135)の移動方向に並ぶ複数の区画(14,135)を有し、索体(35,124,126)に配設された物品搬送体(12,128,129)と、
前記物品搬送体(12,128,129)を搬入位置(I)に対応するように移動および停止させると共に、各区画(14,135)を搬出位置(O)に対応するように移動および停止させ、物品搬送体(12,128,129)の搬入位置(I)に対する停止と区画(14,135)の搬出位置(O)に対する停止とが独立して行なえるよう構成された駆動手段(28,30,34,94,96,98,100,108,110,112,114)と、
前記物品搬送体内に区画(14,135)を形成するべく着脱可能に係合すると共に、形成する各区画(14,135)の大きさが同じになるよう係合位置を変更し得る仕切部材(16,131)とからなり、
前記駆動手段(28,30,34,94,96,98,100,108,110,112,114)は、変更された区画(14,135)の大きさに対応して、個々の区画(14,135)の中心が前記搬出位置(O)の中心に対応するよう区画(14,135)を移動させる
ことを特徴とする物品搬送装置。
【請求項２】
前記物品搬送体(12)は、機枠(11)に対して略水平に移動する移動台(26)に回転可能に配設された２基の回転体(22,22)に巻掛けられた前記索体(35)に設けられ、該移動台(26)を前記駆動手段(28,30,34)で駆動することによって物品搬送体(12)が略水平に旋回するよう移動し、物品搬送体(12)の直線移動部の夫々に対応して前記搬入位置(I)および搬出位置(O)が設定され、各位置(I,O)において前記区画(14)に対して物品(44)が側方から搬入および搬出される請求項１記載の物品搬送装置。
【請求項３】
２基の回転体(104,118,106,120)に巻掛けられた前記索体(124,126)に前記物品搬送体(128,129)が設けられた搬送体組を２組備え、両搬送体組の物品搬送体(128,129)は同一軌道を移動するよう設定されると共に、両搬送体組を前記駆動手段(94,96,98,100,108,110,112,114)で駆動することによって物品搬送体(128,129)が略鉛直に旋回するよう移動し、物品搬送体(128,129)の直線移動部のうち上側となる直線移動部に対応して前記搬入位置(I)および搬出位置(O)が設定され、各位置(I,O)において前記区画(135)に対して物品(44)が側方から搬入および搬出される請求項１記載の物品搬送装置。
【請求項４】
前記物品(44)は包装単位となる食パン群であって、前記搬入位置(I)で、スライサ(48)から送り出される所要数にスライスされたスライス食パン群が包装単位毎に分割されて前記物品搬送体(12,128,129)の区画(14,135)に搬入されると共に、該食パン群(44)を搬出位置(O)において包装単位毎に区画(14,135)から袋詰機(78)に搬出するよう構成した請求項１〜３の何れかに記載の物品搬送装置。
【請求項５】
前記袋詰機(78)は、袋に向けて前記食パン群(44)を押送する押送部材(80)を備え、該押送部材(80)は、搬出位置(O)に臨む前記区画(14,135)を通過することで食パン群(44)を該区画(14,135)から搬出するよう構成されている請求項４記載の物品搬送装置。
【請求項６】
前記食パン群(44)は山型パンであって、前記スライサ(48)からは丸い頭部側を前にして前記区画(14,135)に搬入され、前記袋詰機(78)へは該頭部を後にして区画(14,135)から搬出されるよう構成される請求項４または５記載の物品搬送装置。
【手続補正２】
【補正対象書類名】明細書
【補正対象項目名】０００６
【補正方法】変更
【補正の内容】
【０００６】
【課題を解決するための手段】
前述した課題を克服し、所期の目的を好適に達成するため、本発明に係る物品搬送装置は、
物品を収容する区画を有し、搬入位置で区画内に受け入れた物品を、区画外へ物品を搬出する搬出位置へ搬送する物品搬送装置であって、
前記区画の移動方向に並ぶ複数の区画を有し、索体に配設された物品搬送体と、
前記物品搬送体を搬入位置に対応するように移動および停止させると共に、各区画を搬出位置に対応するように移動および停止させ、物品搬送体の搬入位置に対する停止と区画の搬出位置に対する停止とが独立して行なえるよう構成された駆動手段と、
前記物品搬送体内に区画を形成するべく着脱可能に係合すると共に、形成する各区画の大きさが同じになるよう係合位置を変更し得る仕切部材とからなり、
前記駆動手段は、変更された区画の大きさに対応して、個々の区画の中心が前記搬出位置の中心に対応するよう区画を移動させることを特徴とする。


【手続補正３】
【補正対象書類名】明細書
【補正対象項目名】００２０
【補正方法】変更
【補正の内容】
【００２０】
前記物品搬送装置１０においては、前記両サーボモータ３０,３０のうち一方(搬入位置Ｉ側)を所定量回転させることで、前記移動台２６が搬入位置Ｉでの物品搬送体１２の移動方向前側(図８の右側)に移動され、物品搬送体１２が配設間隔分移動されると共に、搬入位置Ｉに対応して停止される。また前記両サーボモータ３０,３０のうち他方(搬出位置Ｏ側)を所定量回転させることで前記移動台２６が搬出位置Ｏでの物品搬送体１２の移動方向前側(図８の左側)に移動され、物品搬送体１２は、区画１４の間隔分移動されると共に、区画１４の中心が搬出位置Ｏの中心に対応するよう停止される。両サーボモータ３０は独立して回転制御され、物品搬送体１２(区画１４)の各位置に対する移動・停止が独立して行なわれる。


【手続補正４】
【補正対象書類名】明細書
【補正対象項目名】００２９
【補正方法】変更
【補正の内容】
【００２９】
前記第１無端チェン１２４,１２４間に、走行方向に所定間隔離間して複数(実施例では４基)の第１物品搬送体１２８が架設され(図１１参照)、該第１物品搬送体１２８、第１駆動スプロケット１０４、第１従動スプロケット１１８、第１無端チェン１２４から一方の搬送体組が構成される。また前記第２無端チェン１２６,１２６間に、走行方向に所定間隔離間して複数(実施例では４基)の第２物品搬送体１２９が架設され(図１１参照)、該第２物品搬送体１２９、第２駆動スプロケット１０６、第２従動スプロケット１２０、第２無端チェン１２６から他方の搬送体組が構成される。そして、両搬送体組における物品搬送体１２８,１２９は、前記駆動手段の駆動により同一軌道を独立して移動・停止されることで、後述するように、該物品搬送体１２８,１２９の搬入位置Ｉに対応する移動および停止の動作と、物品搬送体１２８,１２９における各区画１３５の搬出位置Ｏに対応する移動および停止の動作とが独立して行なえるようになっている。なお、第１物品搬送体１２８と第２物品搬送体１２９とは、移動方向に交互に位置するよう設定してある(図１４参照)。


【手続補正５】
【補正対象書類名】明細書
【補正対象項目名】００４２
【補正方法】変更
【補正の内容】
【００４２】
請求項２に係る物品搬送装置によれば、略水平に旋回するよう移動する物品搬送体の直線移動部の夫々に搬入位置と搬出位置とを設定することで、物品の搬入、搬出ラインを直線的に整列させることができ、物品搬送装置の上下流側の各種機械装置を直線上に配置し得る。また請求項３に係る物品搬送装置によれば、略鉛直に旋回するよう移動する物品搬送体の直線移動部に搬入位置と搬出位置とを設定することで、物品の搬入ラインと搬出ラインとを並列に設定できる。